(57)【特許請求の範囲】
【請求項１】
シガレットパックの集積した被包装物品の回りに包材をＵ字形に胴折りするとともに、このＵ字形包材の両端部を前記被包装物品の端面上にて互いに重ね合わせて胴貼りし、この胴貼りにより筒状となった包材の両側部を前記被包装物品の両側面にそれぞれ折り込んでサイド貼りしたパーセル包装体において、
前記包材に設けられた摘みを有する開封帯を備え、
前記開封帯は、前記包材に形成された一対の穿孔列により得られており、
前記摘みは、前記包材の周縁から離れて前記包材に形成された切込みであって、前記一対の穿孔列の端にそれぞれ位置した穿孔を繋ぐか若しくは繋ぐように配置され、前記包材から前記摘みを引き起こし可能とする切込みにより得られていることを特徴とするパーセル包装体。
【請求項２】
前記摘みは、前記パーセル包装体の辺を避けて配置されていることを特徴とする請求項１のパーセル包装体。
【請求項３】
前記各列の互いに隣接する穿孔は、その列方向とは交差したスリットであることを特徴とする請求項１又は２に記載のパーセル包装体。
【請求項４】
前記開封帯は、前記包材の胴貼り域を避けて設けられていることを特徴とする請求項１〜３の何れかに記載のパーセル包装体。
【発明の詳細な説明】
【０００１】
【発明の属する技術分野】
本発明は、シガレットパックのパーセル包装体に関する。
【０００２】
【従来の技術】
一般的に、シガレットパックのパーセル包装体は５個ずつ２段に重ねて集積したシガレットパックの被包装物品を紙などの包材により包み込んだものである。より詳しくは、パーセル包装体は、被包装物品の回りに包材をＵ字形に胴折りするとともに、このＵ字形包材の両端部を被包装物品の端面上にて互いに重ね合わせて胴貼し、この胴貼りにより筒状となる包材の両側部を被包装物品の両側面にそれぞれ折り込み、サイド貼りすることで得られている。
【０００３】
上述のパーセル包装体から個々のシガレットパックは取出すにはその両側のサイド貼りの一方から包材を破ることになるが、そのサイド貼りの接着が強力であると、包材を破るのも容易ではない。
このため、たとえば特開閉10-230552号公報に開示されたパーセル包装体は、その包材に穿孔列を有しており、この穿孔列を押し開くことで、包材を破き易くしている。
【０００４】
【発明が解決しようとする課題】
しかしながら、上述した公知のパーセル包装体は穿孔列が１本であるため、穿孔列を爪などで押し開く際、被包装物品を損傷させてしまう虞がある。とくに、パーセル包装体はいわゆるシガレットソフトパックの包装に利用されるため、シガレットソフトパックは爪などにより変形したり、その上包みフィルム包材が破け易い。
【０００５】
本発明は、上述の事情に基づいてなされたもので、その目的とするところは、被包装物品に損傷を与えることなく、その包材を容易に開封することができるシガレットパックのパーセル包装体を提供することにある。
【０００６】
【課題を解決するための手段】
上記の目的を達成するため、本発明のシガレットパックのパーセル包装体（請求項１）は、その包材に設けられた摘みを有する開封帯を備えており、この開封帯は、包材に形成された一対の穿孔列により得られており、そして、摘みは、包材の周縁から離れて包材に形成された切込みであって、一対の穿孔列の端にそれぞれ位置した穿孔を繋ぐか若しくは繋ぐように配置され、包材から摘みを引き起こし可能とする切込みにより得られている。
このような開封帯をパーセル包装体が備えていれば、その摘みを引き起こしてから把持して引っ張ることで、開封帯を包材から引き裂き、パーセル包装体の開封が行われる。
【０００７】
具体的には、開封帯を形成する一対の穿孔列は平行に延びていてもよいし、また、その摘みから拡開するように延びていてもよい。
好ましくは、摘みは、パーセル包装体の辺を避けて配置されている（請求項２）。
さらに、各列の互いに隣接する穿孔は、その列方向とは交差したスリットであるのが望ましく（請求項３）、この場合、スリット間の間隔を十分に確保しつつ、その摘みを引っ張ることで、隣接するスリット間に亀裂を確実に生じさせ、開封帯の円滑な引き裂きが可能となる。
【０００８】
さらにまた、開封帯は、包材の前述した胴貼り域を避けて設けられているのが好ましく（請求項４）、この場合、開封帯の形成が容易となる。
【０００９】
【発明の実施の形態】
図１は、一実施形態のシガレットパックのパーセル包装体を示す。
パーセル包装体は、図２に示すシガレットソフトパックＳを５個ずつ２段に集積した被包装物品を紙などの包材Ｗにより包み込んで得られている。
すなわち、包材Ｗは前述したようにして被包装物品の回りに胴折され、その両端部を被包装物品の一端面上にて胴貼りした胴貼り域Ａと、被包装物品の両側面上に筒状包材の両側部をそれぞれ折込んでサイド貼りした左右のサイド貼り域Ｂとを有する。なお、胴貼り域Ａは、包材Ｗの両端部を互いに糊付けすることで得られ、また、サイド貼り域Ｂは外側のサイドフラップを内側のサイドフラップに接着して得られている。
【００１０】
図１および図２に示されるようにパーセル包装体は、胴貼り域Ａとは反対側の他端面を覆う包材Ｗの部位に摘み付きの開封帯１を有し、開封帯１は前記他端面の長手方向に延びている。
より詳しくは、図３に示されるように開封帯１は、包材Ｗに形成した一対の穿孔列３から得られ、これら穿孔列３は互いに平行に延びている。ここで、各穿孔列３の孔はその列方向に対して交差したスリット５からなり、そして、各穿孔列３の対応する２つのスリット５は互いに協働してハ字形を形作っている。
【００１１】
そして、各穿孔列３の一端のスリット５は横断スリット７を介して互いに接続され、この横断スリット７と左右のスリット５とで、開封帯１の摘み９が成形されている。
上述のパーセル包装体によれば、開封帯１の摘み９を引起して指で摘み、そして、その摘み９を開封帯１の長手方向に引っ張ることで、開封帯１を包材Ｗから引き裂くことができ、パーセル包装体を容易に開封できる。
【００１２】
本発明は図１のパーセル包装体に限らず、図４に示される開封帯１を有するパーセル包装体であってもよい。図４のパーセル包装体の場合、開封帯１はパーセル包装体の上面（又は下面）に頂部を有し、この頂部から前記他端面に亘る三角形状をなしている。すなわち、図５に示されるように開封帯１を成形する一対の穿孔列３はその頂部から互い拡開するように延び、そして、各穿孔列３の孔もまたその列方向と交差するスリット５からなっている。さらに、包材Ｗには開封帯１の頂部にコ字形の切込み１１を有し、この切込み１１により開封帯１の摘み９が成形されている。
【００１３】
図４および図５のパーセル包装体にあっても、開封帯１の摘み９を引き起こし、そして、その摘み９を引っ張ることにより開封帯１を包材Ｗから引き裂くことができ、パーセル包装体を容易に開封することができる。また、図５の開封帯１は図３の開封帯１に比べて大きいので、開封帯１を引き裂くだけで、被包装物品、つまり、シガレットソフトパックＳを取り出すことができる。
【００１４】
図６は、上述したパーセル包装体を製造するための集積包装機の一例を示す。集積包装機は、シガレットソフトパックＳを２段に積み重ねた状態で搬送する搬送ライン２と、この搬送ライン２の上方に配置された包装ライン４とを備え、この包装ライン４は搬送ライン２の終端近傍から搬送ライン２と直交する方向に延びている。
【００１５】
また、包装ライン４の上方には包材ウエブＰの供給ライン６が設けられ、そして、この供給ライン６の終端部は搬送ライン２と包装ライン６との間を垂直に延びている。供給ライン６は、ピンチローラ８を備えたフィードローラ１０の回転により、包材ロール（図示しない）から包材ウエブＰを間欠的に繰り出す。
フィードローラ８の下側には固定刃および可動刃を備えたカッタユニット１２が配置され、このカッタユニット１２は包材ウエブＰを所定の長さ、つまり、被包装物品のサイズに応じた長さに切断し、所定長さの包材Ｗを形成する。
【００１６】
供給ライン６の終端部は、左右一対の無端状サクションベルト１４からなり、これらサクションベルト１４は、切断した得た包材Ｗを吸着した状態で、包装ライン４の始端と搬送ライン２の終端との間に移送する。
搬送ライン２の終端にはエレベータ１６が配置され、このエレベータ１６は、図１中、その昇降範囲のみが２点鎖線で示されている。エレベータ１６は、搬送ライン２から２段積みのシガレットソフトパックＳを５列ずつ纏めて受け取ることで、２段５列のシガレットソフトパックＳを被包装物品Ｔｓとして集積し、そして、この被包装物品Ｔｓを包装ライン４と同一レベルまで上昇させる。
【００１７】
一方、搬送ライン２の終端上方にはプッシャ１８が配置され、このプッシャ１８は、図中矢印で示すように包装ライン４に向けて前進し、エレベータ１６上の被包装物品Ｔｓを包材Ｗとともに包装ライン４に向けて押し出し、これにより、包材Ｗは被包装物品Ｔｓの回りにＵ字形に折り込まれる。すなわち、包材Ｗの胴折りが実施される。
【００１８】
この後、被包装物品Ｔｓが包材Ｗとともに包装ライン４上を移送される過程にて、前述した包材Ｗの両端部の折込み及び胴貼り、そして、筒状の包材Ｗの両側部の折込みおよびサイド貼りが順次実施されて、パーセル包装体が完成する。なお、パーセル包装体は、包装ライン４から図示しない箱詰め機に供給される。
図１に示されるように包材ウエブＰの供給ライン６にはその途中に、開封帯１の成形装置２０が配置されており、この成形装置２０の詳細は図７に示されている。
【００１９】
図７を参照すると、成形装置２０はそのケーシング２２内にタイミングベルト２４を備え、このタイミングベルト２４は供給ライン６、つまり、包材ウエブＰを横断する方向に延び、一対の歯付きプーリ２６，２８間に掛け回されている。なお、一方の歯付きプーリ２６は駆動プーリであり、サーボモータ（図示しない）に接続されている。
【００２０】
タイミングベルト２４の下方には供給ライン６を挟んで、カッタ３０が配置され、このカッタ３０もまた包材ウエブＰを横断する方向に延びている。ケーシング２２内にて、カッタ３０の両端はそれぞれスプリング３４を介して吊持され、上下方向にリニアガイド（図示しない）を介して変位可能に支持されている。
一方、タイミングベルト２４にはスライダ３８が取り付けられ、このスライダ３８に受けローラ４０が設けられている。休止位置にあるとき、受けローラ４０はカッタ３０の両方の端部４４の一方に位置付けられ、スプリング３４の付勢力に抗してカッタ３０を下方に押し下げ、供給ライン６上の包材ウエブＰからカッタ３０を離間させている。すなわち、カッタ３０の両方の端部４４はその中央部よりも厚いランド部として形成されている。
【００２１】
しかしながら、タイミングベルト２４の走行に伴い、スライダ３８が所定のタイミングで一方向に移動されると、カッタ３０の上面はスプリング３４の付勢力により包材ウエブＰを介して受けローラ４０に押付けられ、そして、カッタ３０の長手方向に転動する。
ここで、カッタ３０の上面中央域には、前述した一対の穿孔列３のスリット５や横断スリット７（または切込み１１）を形成すべく刃４２が配列して設けられており、これにより、受けローラ４０の転動に伴い、包材ウエブＰに前述した摘み９を有する開封帯１が成形される。
【００２２】
上述した成形装置２０は、包材ウエブＰが間欠的に繰り出される毎に作動し、これにより、包材Ｗの所定位置に摘み９を有する開封帯１が形成され、そして、開封帯１を有するパーセル包装体が製造される。
さらに、開封帯の成形装置２０は図７に示されるものに限らず、図８および図９に示す成形装置５０であってもよい。この成形装置５０は、図５の開封帯１を成形するのに好適し、供給ライン６の下方に配置された固定台５２を備えている。固定台５２にはスプリング５４を介して挟持プレート５６，５８が支持されており、これら挟持プレート５６，５８は包材ウエブＰを横断する方向に延び、そして、包材ウエブＰの供給方向に隣接して配置され、これら挟持プレート５６，５８間に略Ｖ字形の開口６０を確保している。
【００２３】
そして、固定台５２には、Ｖ字形をなすカッタプレート６２が立設され、カッタプレート６２の上端部は開口６０内に位置付けられている。カッタプレート６２の上面には、図５の各穿孔列３のスリット５および切込み１１を形成すべく刃６４が配列して設けられている。
一方、挟持プレート５６，５８の上方には供給ライン６を挟んで可動受け台６６が配置され、この可動受け台６６はエアシリンダやカム機構などの昇降機構（図示しない）を介して昇降可能であり、そして、その下面にカッタプレート６２と同様なＶ字状の逃げ溝６８を有する。
【００２４】
昇降機構が所定のタイミングで可動受け台６６を下降させると、この可動受け台６６は包材ウエブＰを介して挟持プレート５６，５８をスプリング５４の付勢力に抗して押し下げ、この押し下げに伴い、カッタプレート６２の刃６４が包材ウエブＰに切込み、摘み９を有する開封帯１が形成される。
なお、上述の説明では可動受け台６６を昇降させるようにしたが、受け台６６を固定台とし、そして、固定台５２を可動台として昇降機構により昇降させても、包材ウエブＰに開封帯１を同様にして形成することができる。
【００２５】
【発明の効果】
以上説明したように本発明のシガレットパックのパーセル包装体（請求項１，２）によれば、その包材に摘みを有する開封帯を成形してあるから、摘みを引き起こして引っ張ることで、開封帯を包材から引き裂くことができ、シガレットパックに変形や損傷を与えることなく、パーセル包装体を容易に開封することができる。
【００２６】
また、開封帯および摘みは包材に一対の穿孔列および切込みを形成するだけで容易に得ることができる。そして、各穿孔列中の穿孔がその列方向と交差するスリットであれば（請求項３）、隣接する穿孔間に確実に亀裂を生じさせ、開封帯の引き裂きをより安定して行うことができる。
さらに、開封帯が包材の胴貼り域を避けて設けられていると（請求項４）、包材への開封帯の形成がより容易となる。
【図面の簡単な説明】
【図１】一実施形態のパーセル包装体を示した斜視図である。
【図２】図１のパーセル包装体の横断面図である。
【図３】図１の開封帯の一部を拡大して示した図である。
【図４】他の実施形態のパーセル包装体を示した斜視図である。
【図５】図４の開封帯の一部を拡大して示した図である。
【図６】図１又は図２のパーセル包装体を製造する包装機を示した概略図である。
【図７】図６のカッタ装置を示した断面図である。
【図８】カッタ装置の変形例を示した斜視図である。
【図９】図８のカッタ装置の断面図である。
【符号の説明】
１  開封帯
３  穿孔列
５  スリット
７  横断スリット
９  摘み
１１  切込み
２０  カッタ装置
５０  カッタ装置
Ａ  胴貼り域
Ｂ  サイド貼り域
Ｓ  シガレットソフトパック
【図１】
0004248762.tif 000002
【図２】
0004248762.tif 000003
【図３】
0004248762.tif 000004
【図４】
0004248762.tif 000005
【図５】
0004248762.tif 000006
【図６】
0004248762.tif 000007
【図７】
0004248762.tif 000008
【図８】
0004248762.tif 000009
【図９】
0004248762.tif 000010